(57)【要約】【課題】プリント出力店での負担を軽減し、高度な画像編集を伴う写真プリント商品を提供可能にする写真注文システム。【解決手段】写真画像記憶部と高度な画像編集を伴う写真プリント商品を含む商品提供情報が格納された商品データベースと、写真プリント商品を選択する商品選択画面と高度な編集処理データを含むプリント注文情報を入力するプリント注文画面を顧客端末に表示し、顧客端末で設定された情報に基づきプリント注文情報を生成するプリント注文処理部とプリント注文情報に基づき高度な画像編集を施した写真プリント商品画像を編集生成するプリント画像編集部と写真プリント商品画像を店頭端末に送信する注文情報送信部を備えた写真注文サーバと写真プリント商品画像に基づき写真プリンタから写真プリント商品を出力するプリンタ制御部を備えた店頭端末とが通信回線を介して接続されている写真注文システム。【選択図】図１
2010165016.tif 000002
【特許請求の範囲】
【請求項１】
写真注文サーバと、プリント出力店に設置された店頭端末と、前記写真注文サーバに写真プリント商品を発注する顧客端末とが、通信回線を介して接続されている写真注文システムであって、
前記写真注文サーバは、前記顧客端末からアップロードした写真画像を格納する写真画像記憶部と、
高度な画像編集を伴う写真プリント商品を含む商品提供情報が格納された商品データベースと、
前記商品データベースに格納された写真プリント商品の何れかを選択する商品選択画面と、前記写真画像記憶部に記憶された写真画像に対する高度な編集処理データを含むプリント注文情報を入力するプリント注文画面とを顧客端末に表示するとともに、顧客端末で設定された情報に基づいて写真プリント商品とプリント対象写真画像を含むプリント注文情報を生成するプリント注文処理部と、
前記プリント注文処理部で生成されたプリント注文情報に従って、選択された写真プリント商品とプリント対象写真画像に基づいて高度な画像編集を施し写真プリント商品画像を編集生成するプリント画像編集部と、
前記プリント画像編集部で編集された写真プリント商品画像をプリント出力店の店頭端末に送信する注文情報送信部とを備えるとともに、
前記店頭端末は、前記写真注文サーバから送信された写真プリント商品画像に基づいて、プリント出力店に設置された写真プリンタから写真プリント商品を出力するプリンタ制御部を備えている写真注文システム。
【請求項２】
前記商品データベースに格納された商品提供情報に、発注可能なプリント出力店が含まれ、
プリント注文処理部は、前記商品データベースに格納されたプリント出力店を選択する店舗選択画面を顧客端末に表示するように構成され、
前記注文情報送信部は、前記プリント画像編集部で編集された写真プリント商品画像を、前記店舗選択画面で選択されたプリント出力店の店頭端末に送信する請求項１記載の写真注文システム。
【請求項３】
前記商品提供情報に、写真画像を張り付け、または写真画像に貼り付けられる複数のテンプレート画像またはキャラクタ画像が含まれ、
前記商品選択画面は、前記商品選択画面で選択された写真プリント商品に対応して提供可能なテンプレート画像またはキャラクタ画像が選択可能に構成され、
前記プリント画像編集部は、前記商品選択画面で選択されたテンプレート画像またはキャラクタ画像と前記写真画像を合成した写真プリント商品画像または前記店頭端末で自動合成可能な写真プリント商品画像を編集生成する請求項２記載の写真注文システム。
【請求項４】
前記商品選択画面で選択されたキャラクタ画像を付加した写真プリント商品の販売情報を管理する販売情報管理部を備えている請求項２または３記載の写真注文システム。
【請求項５】
前記商品提供情報は、複数種類の写真プリント商品と各写真プリント商品を提供可能なプリント出力店とが関連付けられて構成され、
前記プリント注文処理部は、前記商品選択画面で選択された写真プリント商品に対応したプリント出力店が前記店舗選択画面に表示され、または、前記店舗選択画面で選択されたプリント出力店で提供可能な写真プリント商品が前記商品選択画面に表示されるように構成されている請求項２から４の何れかに記載の写真注文システム。
【請求項６】
前記写真注文サーバは、プリント出力店毎に提供可能な写真プリント商品を編集する商品編集画面を店頭端末に表示し、店頭端末で編集された商品提供情報に基づいて前記商品データベースを更新するデータベース更新処理部を備えている請求項２から５の何れかに記載の写真注文システム。
【請求項７】
請求項１から６の何れかに記載の写真注文システムに組み込まれる写真注文サーバ。
【請求項８】
請求項１から６の何れかに記載の写真注文システムに組み込まれる店頭端末。
【発明の詳細な説明】
【技術分野】
【０００１】
本発明は、写真注文システム、写真注文サーバ、及び店頭端末に関する。
【背景技術】
【０００２】
近年のデジタルカメラの普及に伴い、デジタルカメラで撮影された写真画像をプリント注文するプリント注文形態として、プリント出力店に出向いた顧客が、プリント出力店に設置された写真注文サーバとして機能する注文受付端末を介してプリント注文する形態と、顧客が自宅やオフィスの端末からインターネットを介して写真注文サーバにアクセスして、プリント注文する形態が利用されている。
【０００３】
プリント出力店に設置された注文受付端末は、可搬性メモリに記憶された写真画像を読み取るメディアリーダと、メディアリーダで読み取られた写真画像を格納するメモリを備え、店内に設置された写真プリントシステムにネットワーク接続されたコンピュータで構成されている。
【０００４】
当該コンピュータには、メモリに格納された複数枚の写真画像に対応するサムネイル画像と、サムネイル画像毎にプリントサイズやプリント枚数等のプリント条件設定欄をモニタに表示し、顧客によってマウスやキーボードを介して入力されたプリント注文情報をプリント条件設定欄に表示する注文受付処理部と、注文受付処理で設定された注文情報に基づいて生成した注文ファイルを写真プリントシステムに出力する注文ファイル生成部としてコンピュータを動作させる写真プリント注文プログラムがインストールされている。
【０００５】
顧客がモニタに表示されたサムネイル画像を目視して、サイズや枚数等の注文情報を設定入力すると、コンピュータに組み込まれたプリンタから、仕上がり時刻等が印字された受付伝票が出力される。
【０００６】
尚、可搬性メモリにＤＰＯＦ（Digital Print Order Format）形式のファイルが記憶されている場合には、当該ファイルの読み込みによって注文受付処理が自動で実行されるため、上述の注文情報の入力操作の手間が軽減される。
【０００７】
一方、インターネットを介した写真注文システムは、特許文献１や特許文献２に記載されている通りである。
【０００８】
特許文献２には、プリント依頼先となる店頭端末の識別データと共にプリント依頼のための注文データを受信するプリント注文受付手段と、注文データにより特定される画像データを記憶部から読み出してサムネイル画像データを作成するサムネイル画像作成手段と、サムネイル画像データが重畳された注文データの表示領域を有する注文画像データを作成する注文画像作成手段と、作成された注文画像データを対応する画像データ及び注文データと共に、プリント注文受付手段で受信した店頭端末の識別データに基づき該当の店頭端末に転送する転送手段を備えたプリント注文処理装置が提案されている。
【先行技術文献】
【特許文献】
【０００９】
【特許文献１】特開２００２−０４９７９７号公報
【特許文献２】特開２００２−２９０７０３号公報
【発明の概要】
【発明が解決しようとする課題】
【００１０】
近年、写真画像を一枚ずつ定型サイズに焼き付けるプリント商品に加えて、一枚の台紙に複数枚の写真画像を焼き付けて製本するアルバムプリントや、一枚の台紙に複数枚の写真画像を美的に配列して焼き付けるコラージュプリント等の高度な画像編集処理を伴う新たな写真プリント商品が高付加価値商品として注目されている。
【００１１】
アルバムプリントやコラージュプリント等の写真プリント商品は、一枚の台紙に貼り付けられる複数枚の写真画像枠が予めレイアウトされた複数種類のテンプレート画像や、テンプレート画像に貼り付けるキャラクタ画像等の画材が記憶された記憶部と、編集プログラムがインストールされた写真注文サーバと、当該アルバムプリントやコラージュプリントに対応したサイズやプリント方式に対応した写真プリンタによって提供可能となる。
【００１２】
当該編集プログラムは、テンプレート画像に配列された写真画像枠に写真画像や画材を貼り付ける編集処理部と、編集処理部で設定された編集情報に基づいて写真プリント商品画像を生成するファイル生成部として機能する高度な画像編集プログラムを備えている。
【００１３】
しかし、プリント出力店に設置された注文受付端末にこのような編集プログラムをインストールすれば、新たな顧客開拓を図ることが考えられるが、不慣れな顧客が好みのテンプレート画像を選択して、テンプレート画像に配列された写真画像枠に好みの写真画像を貼り付ける編集操作を行うのは極めて困難であり、オペレータが顧客に操作手順を案内し、或いは顧客に代わって編集作業を行う必要が生じるため、オペレータの負荷が増大するという問題があった。
【００１４】
さらに、このような編集作業は長い時間を要するものであるため、注文受付端末の待ち時間が長くなり、プリント出力店にとってはビジネス機会を逸するという問題もあった。
【００１５】
従って、アルバムプリントやコラージュプリント等の高度な編集処理が要求される写真プリント商品は、専らインターネットを介した写真注文システムで提供される場合が多いのであるが、特許文献２に記載されているように、インターネット上のプリント注文処理サーバは、サムネイル画像データが重畳された注文データの表示領域を有する注文画像データを作成し、注文画像データを対応する画像データ及び注文データと共に、注文先の店頭端末に転送するように構成されていたため、注文先のプリント出力店では、オペレータが注文画像データに含まれるサムネイル画像を参照しながら、注文データに従って写真プリント処理のための編集処理を行わなければならず、オペレータの負荷が増大するという問題が解消されるものではなかった。
【００１６】
本発明は、上述の従来欠点に鑑み、プリント出力店での負担を軽減させながらも、高度な画像編集を伴う写真プリント商品を提供することができる写真注文システム、並びに前記写真注文システムに組み込まれる写真注文サーバ及び店頭端末を提供する点にある。
【課題を解決するための手段】
【００１７】
上述の目的を達成するため、本発明による写真注文サーバの第一の特徴構成は、特許請求の範囲の書類の請求項１に記載した通り、写真注文サーバと、プリント出力店に設置された店頭端末と、前記写真注文サーバに写真プリント商品を発注する顧客端末とが、通信回線を介して接続されている写真注文システムであって、前記写真注文サーバは、前記顧客端末からアップロードした写真画像を格納する写真画像記憶部と、高度な画像編集を伴う写真プリント商品を含む商品提供情報が格納された商品データベースと、前記商品データベースに格納された写真プリント商品の何れかを選択する商品選択画面と、前記写真画像記憶部に記憶された写真画像に対する高度な編集処理データを含むプリント注文情報を入力するプリント注文画面とを顧客端末に表示するとともに、顧客端末で設定された情報に基づいて写真プリント商品とプリント対象写真画像を含むプリント注文情報を生成するプリント注文処理部と、前記プリント注文処理部で生成されたプリント注文情報に従って、選択された写真プリント商品とプリント対象写真画像に基づいて高度な画像編集を施し写真プリント商品画像を編集生成するプリント画像編集部と、前記プリント画像編集部で編集された写真プリント商品画像をプリント出力店の店頭端末に送信する注文情報送信部とを備えるとともに、前記店頭端末は、前記写真注文サーバから送信された写真プリント商品画像に基づいて、プリント出力店に設置された写真プリンタから写真プリント商品を出力するプリンタ制御部を備えている点にある。
【００１８】
上述の構成によれば、顧客は、プリント注文処理部によって顧客端末に表示される商品選択画面とプリント注文画面を利用して、商品選択画面から希望する写真プリント商品を選択操作し、プリント注文画面にアップロードした写真画像に対する高度な編集処理データを含むプリント注文情報を入力操作できるようになる。
【００１９】
例えば、顧客は、アルバムプリントやコラージュプリントのような高度な画像編集を必要とする写真プリント商品を商品選択画面から選択し、プリント注文画面において、アップロードした写真画像をレイアウト編集し、その結果である高度な編集処理データを含むプリント注文情報を入力操作できるようになる。
【００２０】
そして、プリント注文処理部によって、顧客により入力操作された写真プリント商品とプリント対象写真画像を含むプリント注文情報が生成され、プリント画像編集部によって、当該生成されたプリント注文情報に基づいて高度な画像編集を施され、選択された写真プリント商品に対応した写真プリント商品画像が編集生成される。従って、写真注文サーバは、顧客端末で顧客により入力操作された情報に基づいて、選択された写真プリント商品に対応した写真プリント商品画像を編集生成することができるようになる。
【００２１】
従って、注文情報送信部によって、写真プリント商品画像がプリント出力店の店頭端末に送信されると、プリンタ制御部によって、当該写真プリント商品画像に基づいて写真プリンタによって写真プリント商品が出力されるので、プリント出力店のオペレータが顧客の注文情報に基づいて編集処理を実行する必要がなくなるようになり、当該写真プリント商品画像に対応する写真プリント商品を効率よく生成することができるようになる。
【００２２】
同第二の特徴構成は、同請求項２に記載した通り、上述の第一特徴構成に加えて、前記商品データベースに格納された商品提供情報に、発注可能なプリント出力店が含まれ、プリント注文処理部は、前記商品データベースに格納されたプリント出力店を選択する店舗選択画面を顧客端末に表示するように構成され、前記注文情報送信部は、前記プリント画像編集部で編集された写真プリント商品画像を、前記店舗選択画面で選択されたプリント出力店の店頭端末に送信する点にある。
【００２３】
上述の構成によれば、顧客は、プリント注文処理部によって顧客端末に表示される店舗選択画面を利用して、例えば、通勤や通学途中にあるプリント出力店を選択する等、顧客の希望するプリント出力店を選択することができ、さらに、当該選択したプリント出力店に出向くことなく、写真注文サーバを介して当該プリント出力店に写真プリント商品を注文することができるようになる。
【００２４】
同第三の特徴構成は、同請求項３に記載した通り、上述の第二特徴構成に加えて、前記商品提供情報に、写真画像を張り付け、または写真画像に貼り付けられる複数のテンプレート画像またはキャラクタ画像が含まれ、前記商品選択画面は、前記商品選択画面で選択された写真プリント商品に対応して提供可能なテンプレート画像またはキャラクタ画像が選択可能に構成され、前記プリント画像編集部は、前記商品選択画面で選択されたテンプレート画像またはキャラクタ画像と前記写真画像を合成した写真プリント商品画像または前記店頭端末で自動合成可能な写真プリント商品画像を編集生成する点にある。
【００２５】
上述の構成によれば、顧客によって、商品選択画面を介して写真プリント商品に対応して提供可能なテンプレート画像またはキャラクタ画像が選択され、プリント注文画面を介して、当該テンプレート画像に写真画像が貼り付けられる等の高度な編集処理が行われ、編集処理データが生成されると、プリント画像編集部で、当該編集処理データに基づいて高度な画像編集が施されて、テンプレート画像またはキャラクタ画像と写真画像を合成した写真プリント商品画像または店頭端末で自動合成可能な写真プリント商品画像が編集生成される。
【００２６】
このようなテンプレート画像またはキャラクタ画像には流行があり、頻繁に新たなテンプレート画像やキャラクタ画像を更新する必要があるが、写真注文サーバの商品提供情報を更新するだけで対応することができ、顧客は常に新しいテンプレート画像またはキャラクタ画像を選択して編集でき、プリント出力店では、写真注文サーバから送信される写真プリント商品画像に対応してプリントすればよく、個々のプリント出力店で新たなテンプレート画像やキャラクタ画像を入手する必要がなくなる。
【００２７】
同第四の特徴構成は、同請求項４に記載した通り、上述の第二または第三の特徴構成に加えて、前記商品選択画面で選択されたキャラクタ画像を付加した写真プリント商品の販売情報を管理する販売情報管理部を備えている点にある。
【００２８】
上述の構成によれば、販売情報管理部により、商品選択画面で選択されたキャラクタ画像を付加した写真プリント商品の販売情報が管理されるため、例えば、不正な使用を未然に防止でき、キャラクタ画像の利用にかかるロイヤリティの管理を効率的に行えるようになる。
【００２９】
同第五の特徴構成は、同請求項５に記載した通り、上述の第二から第四の何れかの特徴構成に加えて、前記商品提供情報は、複数種類の写真プリント商品と各写真プリント商品を提供可能なプリント出力店とが関連付けられて構成され、前記プリント注文処理部は、前記商品選択画面で選択された写真プリント商品に対応したプリント出力店が前記店舗選択画面に表示され、または、前記店舗選択画面で選択されたプリント出力店で提供可能な写真プリント商品が前記商品選択画面に表示されるように構成されている点にある。
【００３０】
上述の構成によれば、商品選択画面で選択された写真プリント商品に対応したプリント出力店が店舗選択画面に表示され、または、店舗選択画面で選択されたプリント出力店で提供可能な写真プリント商品が商品選択画面に表示されるので、顧客が所望する写真プリント商品に対応可能なプリント出力店、または顧客が所望するプリント出力店で提供可能な写真プリント商品を容易に把握でき、効率的に注文入力できるようになる。
【００３１】
同第六の特徴構成は、同請求項６に記載した通り、上述の第二から第五の何れかの特徴構成に加えて、前記写真注文サーバは、プリント出力店毎に提供可能な写真プリント商品を編集する商品編集画面を店頭端末に表示し、店頭端末で編集された商品提供情報に基づいて前記商品データベースを更新するデータベース更新処理部を備えている点にある。
【００３２】
上述の構成によれば、プリント出力店に新たな写真プリント商品に対応した写真プリンタを設置するような場合や、老朽化した写真プリンタを廃棄した場合であっても、店頭端末に表示された商品編集画面を利用して、プリント出力店で提供可能な写真プリント商品の変更に関する商品提供情報を編集すれば、データベース更新処理部により商品データベースが迅速に更新されるため、顧客に影響を与えることなく、且つ、プリント出力店側に負担をかけずに適切なサービスを提供することができるようになる。
【００３３】
同第七の特徴構成は、同請求項７に記載した通り、前記写真注文サーバが、上述の第一から第六の何れかの特徴構成に組み込み可能な点にある。
【００３４】
上記構成によれば、前記第一から第六の特徴構成の作用、ならびに効果を有することができるようになる。
【００３５】
同第八の特徴構成は、同請求項８に記載した通り、前記店頭端末が、上述の第一から第六の何れかの特徴構成に組み込み可能な点にある。
【００３６】
上記構成によれば、前記第一から第六の特徴構成の作用、ならびに効果を有することができるようになる。
【発明の効果】
【００３７】
以上説明した通り、本発明によれば、プリント出力店での負担を軽減させながらも、高度な画像編集を伴う写真プリント商品を提供することができる写真注文システム、並びに前記写真注文システムに組み込まれる写真注文サーバ及び店頭端末を提供することができるようになった。
【図面の簡単な説明】
【００３８】
【図１】本発明による写真注文サーバを含む写真注文システムのブロック構成図
【図２】商品提供情報の説明図であり、（ａ）は商品提供情報のデータ構造を例示する説明図、（ｂ）は（ａ）に示すデータ構造における商品提供情報の具体例を示す説明図、（ｃ）は（ａ）に示すデータ構造における商品提供情報の（ｂ）に示す具体例とは別の具体例を示す説明図
【図３】写真プリント商品の注文処理手順を説明するフローチャート
【図４】プリント出力店における受注処理手順を説明するフローチャート
【図５】注文メニュー画面の説明図
【図６】商品選択画面の説明図であり、（ａ）は写真プリント商品を選択する商品選択画面の説明図、（ｂ）は写真プリント商品を詳細に規定する商品関連情報を選択する選択画面の説明図
【図７】検索条件に該当するプリント出力店及び写真プリント商品を選択する画面の説明図であり、（ａ）は検索条件に該当するプリント出力店を選択する店舗選択画面の説明図、（ｂ）は検索条件に該当する写真プリント商品を選択する商品選択画面の説明図
【図８】プリント注文画面の具体例を示す説明図
【図９】プリント注文画面の図８に示す具体例とは別の具体例を示す説明図
【図１０】プリント注文画面の図８及び図９に示す具体例とは別の具体例を示す説明図
【図１１】店頭端末及び写真プリンタの説明図
【発明を実施するための形態】
【００３９】
以下、本発明による写真注文システム、並びに当該写真注文システムに組み込まれる写真注文サーバ及び店頭端末の実施の形態について、第一の実施形態として説明する。
【００４０】
図１に示すように、顧客が所有するパーソナルコンピュータや携帯端末等の顧客端末４と、プリント出力店３に設置された店頭端末３１と、写真注文サーバ２が、通信回線の一例であるインターネット８を介して接続されて、写真注文システム１が構築されている。
【００４１】
店頭端末３１には、単一または複数の写真プリンタ３０ａ, ３０ｂ,…,３０ｌ（以下、「写真プリンタ３０」と記す。）がローカルエリアネットワーク３８を介して接続され、店頭端末３１から出力された写真プリントデータに基づいて写真プリントが生成される。
【００４２】
写真プリンタ３０には、銀塩写真プリンタ、インクジェットプリンタ、昇華型プリンタ等複数種類の写真プリンタが含まれる。
【００４３】
写真注文サーバ２は、写真プリント商品の注文に関連する各種データを格納するデータベース２ｂと、顧客端末４からインターネット８を介してアクセスされ、当該アクセス内容に対応してデータベース２ｂに格納された各種データを取得及び更新し、顧客端末４及びプリント出力店３の店頭端末３１に処理結果を送信する、例えばサーブレット等のサーバサイドアプリケーションプログラムが実行されるＷｅｂサーバ２ａと、を備えて構成されている。
【００４４】
データベース２ｂは、写真注文システム１を利用可能な顧客を識別するユーザＩＤと、ログイン認証用のパスワード等の顧客識別情報と、顧客の住所や名前、或いは注文した写真プリント商品の支払方法や受取先住所等の顧客個人情報を関連付けて格納する顧客データベース２９と、顧客端末４からアップロードされた写真画像を格納する写真画像記憶部２５と、発注可能なプリント出力店３と、受注可能な後述する高度な画像編集を伴う写真プリント商品を含む写真プリント商品を設定した商品提供情報が格納された商品データベース２６とを含んで構成されている。尚、商品提供情報は、複数種類の写真プリント商品と各写真プリント商品を提供可能なプリント出力店３とが関連付けられた情報である。
【００４５】
図２（ａ）に示すように、写真プリント商品を識別する商品識別情報と、プリント出力店３を識別する店舗識別情報が格納されている。さらに、商品データベース２６には、各写真プリント商品を詳細に規定する商品関連情報が、商品識別情報とリンクして格納されている。
【００４６】
詳述すると、商品識別情報には、写真プリント商品を識別する商品ＩＤと、商品ＩＤに対応した商品名と、商品形態を分類する商品種別と、写真プリント商品の注文可能な有効期間等が含まれる。商品種別には、パスポートや免許証等に添付する証明写真や、所定サイズの印画紙に一枚ずつ写真画像を焼き付ける焼増しプリント、一枚の台紙に複数枚の写真画像をプリントするアルバムプリント、一枚の台紙に複数枚の写真プリントを美的に配列してプリントするコラージュプリント等の商品形態が格納されている。
【００４７】
商品関連情報には、商品識別情報の商品ＩＤとリンクされる商品ＩＤと、商品関連情報を識別する商品関連情報ＩＤと、関連情報ＩＤに対応した商品関連情報名と、写真プリントのサイズ、印画紙やインクジェット紙等の記録媒体の種別、テンプレート画像の識別データ、キャラクタ画像の識別データ及び当該キャラクタ画像の使用料であるロイヤリティデータ等の写真プリント商品を構成する各種データとのリンクデータが格納されている。
【００４８】
具体例をあげると、図２（ｂ）に示すように、コラージュプリントの商品識別情報には、商品ＩＤに「ＩＴＭＣ００１」、商品名に「コラージュ富士山」、商品種別に「コラージュプリント」、有効期間に「２００８年１０月１日から２００８年１２月３１日」等が格納されている。
【００４９】
さらに、商品ＩＤ「ＩＴＭＣ００１」が示すコラージュプリントを規定する商品関連情報には、商品関連情報ＩＤに「ＢＧＩＭＧ０１」、商品関連情報名に「テンプレート  富士山Ａ」が格納され、リンクデータには、「テンプレート  富士山Ａ」に対応するテンプレート画像の識別データとして、当該テンプレート画像の背景画像のファイルパスが格納されている。その他、テンプレート画像の識別データとして、商品関連情報ＩＤに「ＣＦＲＡＭＥ０１」及び「ＣＦＲＮＵＭ０１」が格納された、テンプレート画像を構成する写真枠に関連する商品関連情報が２件格納されている。
【００５０】
別の具体例をあげると、図２（ｃ）に示すように、アルバムプリントの商品識別情報には、商品ＩＤに「ＩＴＭＡ００１」、商品名に「アルバム××マンＡ」、商品種別に「アルバムプリント」、有効期間に「２００８年１２月１日から２００８年１２月３１日」等が格納されている。
【００５１】
さらに、商品ＩＤ「ＩＴＭＡ００１」が示すアルバムを規定する商品関連情報には、商品関連情報ＩＤに「ＢＳＩＭＧ０１」、商品関連情報名に「台紙  ××マンＡ」が格納され、リンクデータには、「台紙  ××マンＡ」が示す台紙に貼り付けられるキャラクタ画像の識別データとして、当該キャラクタ画像のファイルパスが格納されている。さらに、キャラクタ画像の使用料であるロイヤリティデータを示す商品関連情報には、商品関連情報ＩＤに「ＲＯＹＡＬ０１」、商品関連情報名に「ロイヤリティ」が格納され、リンクデータには、商品単価に対するロイヤリティの割合を示すテキストデータ「３％」が格納されている。
【００５２】
店舗識別情報は、店舗を識別する店舗ＩＤ、店舗の名称、住所、電話番号、Ｅメールアドレス、定休日、営業時間等の店舗を識別する情報が格納可能に構成されている。
【００５３】
尚、商品ＩＤ、店舗ＩＤ、或いは商品関連情報ＩＤは、商品データベースの管理ツールを利用して、当該情報を登録する場合に自動で採番されるように構成されている。
【００５４】
さらに、商品データベース２６には、当該商品識別情報の商品ＩＤと店舗識別情報の店舗ＩＤを関連付けた商品提供情報が格納されており、当該商品提供情報に基づいて、写真プリント商品を検索条件として当該写真プリント商品を提供可能なプリント出力店３を検索し、または、プリント出力店３を検索条件として当該プリント出力店３で提供可能な写真プリント商品を検索することができる。
【００５５】
尚、図２（ａ）（ｂ）（ｃ）に示すデータ構造及びデータの関連の構成は、例示に過ぎず、複数種類の写真プリント商品と、当該各写真プリント商品を詳細に規定する情報と、各写真プリント商品を提供可能なプリント出力店３が関連付けて格納可能である限り、上述とは別のデータ構造及びデータの関連の構成であっても構わない。
【００５６】
図１に戻り、Ｗｅｂサーバ２ａは、ログイン部２０と、アップロード部２１と、プリント注文処理部２２と、プリント画像編集部２３と、注文情報送信部２４を備えて構成されている。
【００５７】
ログイン部２０は、顧客端末４にログイン画面を表示し、顧客端末４で入力されたユーザＩＤとパスワードを検索条件として、顧客データベース２９を検索し、当該検索条件に該当する顧客識別情報の有無により、ログインを許可或いは拒否する。
【００５８】
アップロード部２１は、顧客端末４のモニタにアップロード対象の写真画像を入力可能に構成されたアップロード画面を表示し、顧客端末４で入力されたアップロード対象の写真画像を、ログイン部２０で検索された顧客識別情報と関連付けて写真画像記憶部２５に格納する。
【００５９】
プリント注文処理部２２は、商品データベース２６に格納された写真プリント商品の何れかを選択する商品選択画面と、商品データベース２６に格納されたプリント出力店３を選択する店舗選択画面と、写真画像記憶部２５に記憶された写真画像に対する高度な編集処理データを含むプリント注文情報を入力するプリント注文画面を顧客端末４に表示する。
【００６０】
さらに、プリント注文処理部２２は、顧客端末４で設定された情報に基づいて、写真プリント商品とプリント出力店３とプリント対象写真画像を含むプリント注文情報を生成する。
【００６１】
プリント画像編集部２３は、プリント注文処理部２２で生成されたプリント注文情報に基づいて、選択された写真プリント商品に対応した写真プリント商品画像を編集生成する。
【００６２】
注文情報送信部２４は、プリント画像編集部２３で編集された写真プリント商品画像を含むプリント注文情報を、選択されたプリント出力店３の店頭端末３１に送信する。
【００６３】
顧客端末４は、写真注文サーバ２から受信したログイン画面、アップロード画面、商品選択画面、店舗選択画面、及びプリント注文画面等の操作画面を表示するブラウザと、ブラウザに表示された各操作画面を入力操作するキーボードやマウス等の入出力デバイスを備えている。
【００６４】
即ち、顧客端末４は、顧客端末４で稼働可能な写真プリント商品の注文操作用のプログラムがインストールされている必要はなく、写真注文サーバ２から受信した各操作画面を表示するブラウザと、当該各操作画面を操作可能な入力デバイスを備えた携帯電話やパーソナルコンピュータ等により、安価に構成可能である。
【００６５】
図３に示すように、ログイン部２０は、例えば、顧客端末４のモニタに表示されたログイン用のアイコンがダブルクリックされる等により、顧客端末４からログイン要求を受信すると、ログイン画面を顧客端末４に表示し、当該ログイン画面に入力されたユーザＩＤとパスワードを検索条件として顧客データベース２９を検索し、当該検索条件に該当する顧客識別情報が存在する場合は、写真注文システム１へのログインを許可し、当該顧客識別情報が存在しない場合には、再入力を促すメッセージを顧客端末４に表示する（Ｓ１）。
【００６６】
ログインが許可されると、プリント注文処理部２２は、図５に例示するように、商品データベース２６に格納された写真プリント商品が選択操作可能に構成された注文メニュー画面４４を表示する（Ｓ２）。
【００６７】
注文メニュー画面４４は、写真プリント商品の注文処理の手順と、各手順に対応した入力操作用の画面を起動するためのボタンが表示された入力操作指定欄４４ｂと、注文処理を終了するための終了ボタン４４ｃを備えて構成されている。
【００６８】
入力操作指定欄４４ｂには、例えば、写真プリント商品を選択する商品選択画面４２を起動する商品選択ボタンと、発注先のプリント出力店３を選択する店舗選択画面４３を起動するプリント出力店選択ボタンと、写真画像をアップロードして写真画像記憶部２５に記憶し、当該写真画像記憶部２５に記憶されたプリント注文情報を入力するプリント注文画面４５を起動する注文情報入力ボタンと、写真プリント商品の支払方法及び受取方法を入力する支払・受取方法入力画面を起動する支払受取方法入力ボタンと、各画面で設定された情報を確認するプリント注文確認画面を起動する注文確認ボタンが備えられている。
【００６９】
尚、注文メニュー画面４４は、入力操作指定欄４４ｂに備えられた各ボタンから起動される操作画面における入力操作の終了可否に対応して、各ボタンの背景色が変更されるように構成されており、どの手順まで注文処理が完了しているかを容易に識別することができる。
【００７０】
また、プリント注文処理部２２は、終了ボタン４４ｃが押下されると、注文メニュー画面４４を閉じて注文処理を終了する。
【００７１】
図３に戻り、注文メニュー画面４４の商品選択ボタンが押下されると、プリント注文処理部２２は、顧客端末４に商品選択画面４２を表示する（Ｓ３）。
【００７２】
商品選択画面４２は、図６（ａ）に示すように、商品データベース２６に格納された商品名がラベルとして表示された押下可能なボタンで構成される商品指定欄４２ｂと、商品指定欄４２ｂで指定された写真プリント商品を確定及びキャンセルする商品確定欄４２ｃを備えている。
【００７３】
プリント注文処理部２２は、商品指定欄４２ｂに表示された各ボタンが押下操作され、当該各ボタンに対応する写真プリント商品が選択されると、当該写真プリント商品に対応する商品関連情報を商品データベース２６から取得し、当該取得した商品関連情報を選択操作可能に表示した選択画面４２１を顧客端末４にポップアップ表示する。
【００７４】
例えば、図６（ｂ）に示すように、商品選択画面４２に備えられた商品指定欄４２ｂの「アルバムプリント」を示すボタンが押下されると、プリント注文処理部２２は、アルバムの台紙に掲載されるキャラクタ画像や、アルバムに掲載する写真枚数等の商品関連情報が選択操作可能に表示された選択画面４２１を顧客端末４にポップアップ表示する。
【００７５】
同様に、商品選択画面４２に備えられた商品指定欄４２ｂの「コラージュプリント」を示すボタンが押下されると、プリント注文処理部２２は、コラージュプリントで利用するテンプレート画像が選択操作可能に表示された選択画面４２１を顧客端末４にポップアップ表示する。
【００７６】
選択画面４２１は、図６（ｂ）に示すように、商品関連情報を選択入力操作する商品関連情報指定欄４２１ｂと、商品関連情報指定欄４２１ｂでの商品関連情報の指定入力を確定及びキャンセルする商品関連情報確定欄４２１ｃとを備えて構成されている。
【００７７】
選択画面４２１の商品関連情報指定欄４２１ｂで商品関連情報が指定された後、商品関連情報確定欄４２１ｃに備えられた確定用ボタン（例えば、図６（ｂ）に示す「ＯＫ」ボタン）が押下されると、プリント注文処理部２２は、当該指定された商品関連情報を写真注文サーバ２に備えられたメモリに格納する。
【００７８】
尚、商品関連情報確定欄４２１ｃに備えられた取消用ボタン（例えば、図６（ｂ）に示す「キャンセル」ボタン）が押下されると、プリント注文処理部２２は選択画面４２１を閉じる。
【００７９】
図３に戻り、商品選択画面４２及び選択画面４２１で写真プリント商品及び商品関連情報が選択指定された後、商品確定欄４２ｃに備えられた確定用ボタン（例えば、図６（ａ）に示す「ＯＫ」ボタン）が押下されると、プリント注文処理部２２は、指定された写真プリント商品及び商品関連情報を写真注文サーバ２に備えられたメモリに格納して写真プリント商品の選択を確定し、商品選択画面４２を閉じる（Ｓ４）。
【００８０】
尚、商品確定欄４２ｃに備えられた取消用ボタン（例えば、図６（ａ）に示す「キャンセル」ボタン）が押下されると、プリント注文処理部２２は、商品選択画面４２を閉じる。
【００８１】
また、写真プリント商品が確定された後に、商品選択画面４２及び選択画面４２１が再起動されると、プリント注文処理部２２は、メモリに格納された写真プリント商品及び商品関連情報を選択した状態で、商品指定欄４２ｂ及び商品関連情報指定欄４２１ｂに表示する。
【００８２】
図３に戻り、注文メニュー画面４４のプリント出力店選択ボタンが押下されると、プリント注文処理部２２は、顧客端末４に店舗選択画面４３を表示する（Ｓ５）。
【００８３】
店舗選択画面４３は、図７（ａ）に示すように、発注先のプリント出力店３を検索するための検索条件を指定し、商品データベース２６から当該検索条件に対応する店舗識別情報及び商品識別情報を検索する検索条件指定欄４３ａと、検索条件指定欄４３ａによる検索実行結果の店舗識別情報及び商品識別情報から、プリント出力店３毎に店舗名、住所、及び受注可能な写真プリント商品を選択操作可能に表示するプリント出力店選択欄４３ｂと、プリント出力店選択欄４３ｂで選択されたプリント出力店３を発注先として確定及びキャンセルする発注先確定欄４３ｃとを備えて構成されている。
【００８４】
検索条件指定欄４３ａは、都道府県及び市区町村を選択入力可能な画面部品と、商品データベース２６に格納されている全ての商品識別情報に基づいて、写真プリント商品の一覧が重複しないように選択候補として設定され、当該設定された選択候補から写真プリント商品を選択入力可能な画面部品と、を備えて構成されている。
【００８５】
プリント注文処理部２２は、検索条件指定欄４３ａに都道府県、市区町村の検索条件が選択入力されると、商品データベース２６から当該検索条件に対応する店舗識別情報を取得し、当該店舗識別情報をプリント出力店選択欄４３ｂに選択操作可能に表示する。
【００８６】
さらに、プリント注文処理部２２は、検索条件指定欄４３ａに写真プリント商品の検索条件が選択入力されると、当該写真プリント商品の商品ＩＤに基づいて、商品データベース２６から当該検索条件に対応する商品提供情報を取得し、さらに、商品提供情報に関連付けられた店舗識別情報を取得して、当該店舗識別情報をプリント出力店選択欄４３ｂに選択操作可能に表示する。
【００８７】
尚、プリント注文処理部２２は、店舗選択画面４３を起動時に、写真プリント商品が既に確定されている場合は、写真プリント商品の検索条件として、当該確定されている写真プリント商品を選択状態で表示し、当該写真プリント商品を受注可能なプリント出力店３をプリント出力店選択欄４３ｂに表示する。即ち、商品選択画面４２で選択された写真プリント商品に対応したプリント出力店３が店舗選択画面４３に表示されるため、顧客が所望する写真プリント商品に対応可能なプリント出力店３を容易に把握でき、効率よくプリント出力店３を選択することができる。
【００８８】
図３に戻り、プリント出力店選択欄４３ｂに表示されたプリント出力店３から発注先のプリント出力店３が選択操作された後、発注先確定欄４３ｃに備えられた確定用ボタン（例えば、図７（ａ）に示す「ＯＫ」ボタン）が押下されると、プリント注文処理部２２は、選択されたプリント出力店３を写真注文サーバ２に備えられたメモリに格納して発注先のプリント出力店３の選択を確定し、店舗選択画面４３を閉じる（Ｓ６）。
【００８９】
尚、発注先確定欄４３ｃに備えられた発注先の指定の取消用ボタン（例えば、図７（ａ）に示す「キャンセル」ボタン）が押下されると、プリント注文処理部２２は、店舗選択画面４３を閉じる。
【００９０】
また、発注先のプリント出力店３が確定された後に、店舗選択画面４３が再起動されると、プリント注文処理部２２は、メモリに格納されたプリント出力店３を選択した状態で、プリント出力店選択欄４３ｂに表示する。
【００９１】
同様に、図７（ｂ）に示すように、プリント出力店３を検索条件として指定可能な条件指定欄４２ａが商品選択画面４２にさらに備えられ、店舗選択画面４３で発注先のプリント出力店３が確定された後に、商品選択画面４２が起動されると、プリント注文処理部２２は、当該確定されたプリント出力店３を選択した状態で条件指定欄４２ａに表示し、当該プリント出力店３の店舗ＩＤに基づいて、商品データベース２６から当該検索条件に対応する商品提供情報を取得し、さらに、商品提供情報に関連付けられた商品識別情報を取得して、当該商品識別情報が示す写真プリント商品を商品指定欄４２ｂに表示しても構わない。
【００９２】
この場合、店舗選択画面４３で選択されたプリント出力店３で提供可能な写真プリント商品が商品選択画面４２に表示されるので、顧客が所望するプリント出力店３で提供可能な写真プリント商品を容易に把握でき、効率よく写真プリント商品を選択することができる。
【００９３】
図３に戻り、注文メニュー画面４４の注文情報入力ボタンが押下されると、プリント注文処理部２２は、顧客端末４にアップロード画面を表示する（Ｓ７）。
【００９４】
アップロード画面には、顧客端末４のハードディスクに格納された写真画像データや、メディアリーダから読み取られた写真画像ファイルから、アップロードの対象となる写真画像ファイルを選択操作する、及び当該選択された画像ファイルを写真注文サーバ２にアップロード操作することが可能な画面部品が備えられている。
【００９５】
アップロード画面で複数枚の写真画像ファイルが選択操作され、当該選択された画像ファイルが写真注文サーバ２にアップロード操作されると、アップロード部２１が起動される。
【００９６】
アップロード部２１は、当該アップロードされた画像ファイルのサムネイル画像を生成し、当該画像ファイルと、当該サムネイル画像と、ログイン部２０で検索された顧客識別情報とを関連付けて写真画像記憶部２５に格納する（Ｓ８）。
【００９７】
アップロードされた画像ファイルが写真画像記憶部２５に格納されると、プリント注文処理部２２は、写真画像記憶部２５から顧客識別情報に対応するサムネイル画像を取得し、当該取得したサムネイル画像が表示された、写真プリント商品に対応するプリント注文画面４５を顧客端末４に表示する（Ｓ９）。
【００９８】
プリント注文画面４５は、図８に示すように、各サムネイル画像に対する編集内容を指定して、写真プリント商品に対応する高度な編集処理データを入力可能に構成された注文情報編集欄４５ａと、注文情報編集欄４５ａに入力された編集処理データを各サムネイル画像に反映して、写真プリント商品の完成イメージをプレビュー表示する商品プレビュー欄４５ｂと、注文情報編集欄４５ａで入力された編集情報を確定する、あるいは、当該編集情報をキャンセルする注文情報確定欄４５ｃを備えて構成されている。
【００９９】
具体例をあげると、アルバムプリントが写真プリント商品として選択されている場合、図８に示すように、注文情報編集欄４５ａは、タイトル入力欄４５ａ１と、サブタイトル入力欄４５ａ２と、プレビューボタン４５ａ３と、写真画像選択欄４５ａ４と、補正処理指定欄４５ａ５と、コメント入力欄４５ａ６と、掲載順指定欄４５ａ７とを備えている。
【０１００】
タイトル入力欄４５ａ１及びサブタイトル入力欄４５ａ２は、テキスト情報を入力操作可能な画面部品で構成され、アルバムのタイトル及びサブタイトルが入力される。
【０１０１】
プレビューボタン４５ａ３は、押下可能なボタン部品で構成され、当該ボタンを押下すると、プリント注文処理部２２により、注文情報編集欄４５ａに入力された後述する補正処理が各サムネイル画像に施され、当該補正処理後の低精度な写真画像で構成されたアルバムプリント商品の完成イメージが生成され、当該完成イメージが商品プレビュー欄４５ｂのサイズに対応するよう縮小表示される。
【０１０２】
尚、商品プレビュー欄４５ｂには、アルバムの各ページの完成イメージを表示するためのページ捲りボタンが備えられ、当該ボタンを押下すると、プリント処理部２２により、アルバムプリントの指定されたページの完成イメージがプレビュー表示される。
【０１０３】
写真画像選択欄４５ａ４は、チェックボックス等の選択操作可能な画面部品で構成され、各サムネイル画像に対応する写真画像をプリント注文するか否かが選択指定される。
【０１０４】
補正処理指定欄４５ａ５は、イエロー、マゼンダ、シアンの各カラーバランス調整ボタン（図中、「Ｙ」「Ｍ」「Ｃ」のそれぞれの右横に表示された「Ｎ」と表記されたボタン）と濃度調整ボタン（図中、「Ｋ」の右横に表示された「Ｎ」と表記されたボタン）等の押下可能なボタン部品で構成され、各ボタンを押下すると‐３（最淡）、−２、−１、Ｎ（補正なし、ニュートラル）、１、２、３（最濃）のプルダウンメニューが表示され、該当するレベルを選択するとその選択値がボタンラベルに表示される。
【０１０５】
尚、当該調整ボタンの下部にあるプレビューボタンが押下されると、プリント注文処理部２２は、サムネイル画像に対応する写真画像を写真画像記憶部２５から取得し、当該写真画像に対して補正処理指定欄４５ａ５で指定された補正処理を施し、当該補正処理後の写真画像が表示されたプレビュー画面をポップアップ表示する。即ち、補正処理後の画像を当該プレビュー画面で目視して、補正の程度を評価することができる。
【０１０６】
コメント入力欄４５ａ６は、テキスト情報を入力操作可能な画面部品で構成され、アルバムに掲載される各写真画像に対するコメントが入力される。
【０１０７】
掲載順指定欄４５ａ７は、数値入力操作が可能な画面部品で構成され、アルバムに掲載される各写真画像の配列順序が入力される。さらに、当該数値入力操作が可能な画面部品の上下に隣接して押下可能なボタン部品が備えられ、当該ボタン部品を押下すると、当該入力されている数値が所定数（例えば、「１」）増減される。
【０１０８】
図３に戻り、注文情報編集欄４５ａにおいて、プリント対象写真画像が選択され、当該各プリント対象写真画像に対する高度な編集処理データが入力された後、注文情報確定欄４５ｃに備えられた確定用ボタン（例えば、図８に示す「ＯＫ」ボタン）が押下されると、プリント注文処理部２２は、各プリント対象写真画像に対する高度な編集処理データを、各プリント対象写真画像の画像ＩＤと関連付けて写真注文サーバ２に備えられたメモリに格納することにより、写真画像記憶部２５に記憶された写真画像に対する高度な編集処理データを確定し、プリント注文画面４５を閉じる（Ｓ１０）。
【０１０９】
尚、高度な編集処理とは、例えば、プリント対象写真画像のサイズとプリントサイズに基づいて、プリント対象写真画像の拡大率や縮小率を算出し、当該算出した拡大率や縮小率に基づいてプリント対象写真画像を拡大及び縮小する等、自動化可能な編集処理ではなく、例えば、上述したように、プリント対象写真画像の配置位置を決定するレイアウト編集のように、自動化が困難な、手動による編集内容の指定が必要な編集処理を示す。また、高度な編集処理データとは、例えば、レイアウト編集処理後のプリント対象写真画像の位置関係を示すデータ等、高度な編集処理を行った結果のデータを示す。
【０１１０】
尚、注文情報確定欄４５ｃに備えられた取消用ボタン（例えば、図８に示す「キャンセル」ボタン）が押下されると、プリント注文処理部２２は、プリント注文画面４５を閉じる。
【０１１１】
また、高度な編集処理データが確定された後に、プリント注文画面４５が再起動されると、プリント注文処理部２２は、当該メモリに格納された高度な編集処理データを入力した状態で、プリント注文画面４５を表示する。
【０１１２】
尚、コラージュプリントが写真プリント商品として選択されている場合は、図９に示すように、アルバムプリントが写真プリント商品として選択されている場合とは異なり、コラージュプリントのテンプレート画像の各写真画像の掲載枠を指定する掲載枠指定欄４５ａ８が設けられる。
【０１１３】
当該掲載枠指定欄４５ａ８は、選択操作可能な画面部品で構成され、三角のラベルが付されたボタンを押下すると、テンプレート画像における写真画像の掲載枠の一覧がプルダウンメニューとして表示され、選択した掲載枠が当該ボタンの左横に隣接する表示領域に表示される。
【０１１４】
また、証明写真あるいはデジタルプリントが写真プリント商品として選択されている場合は、図１０に示すように、アルバムプリントやコラージュプリントが写真プリント商品として選択されている場合と異なり、写真画像を写真プリント商品に配置する位置を指定する等の高度な編集処理を要さないため、商品プレビュー欄４５ｂを備えず、迅速に写真画像に対するプリント条件の入力操作が行えるように構成されている。
【０１１５】
例えば、図１０に示すように、注文情報編集欄４５ａには、プリントサイズを指定するプリントサイズを指定するサイズ指定欄４５ａ９と、プリント枚数を指定する枚数指定欄４５ａ１０が備えられている。
【０１１６】
サイズ指定欄４５ａ３は、プリントサイズを選択可能な画面部品で構成され、各サムネイル画像に対応する写真画像をプリントする際のプリントサイズが選択指定される。
【０１１７】
枚数指定欄４５ａ４は、数値入力操作が可能な画面部品で構成され、写真画像をプリントする枚数が入力される。さらに、当該数値入力操作が可能な画面部品の上下に隣接して押下可能なボタン部品が備えられ、当該ボタン部品を押下すると、当該入力されている数値が所定数（例えば、「１」）増減される。
【０１１８】
図３に戻り、注文メニュー画面４４の支払受取方法入力ボタンが押下されると、プリント注文処理部２２は、支払・受取方法入力画面を顧客端末４に表示する（Ｓ１１）。
【０１１９】
支払・受取方法入力画面には、例えば、代引あるいは振込等の写真プリント商品の支払方法と、来店あるいは郵送の場合であれば受取先住所等の写真プリント商品の受取方法を入力操作する、及び当該入力された支払方法及び受取方法をプリント注文処理部２２に送信操作可能な画面部品が備えられている。
【０１２０】
支払・受取方法入力画面で支払方法及び受取方法が入力操作され、当該入力された支払方法及び受取方法がプリント注文処理部２２に送信操作されると、プリント注文処理部２２は、顧客端末４から送信された支払方法及び受取方法を、写真注文サーバ２に備えられたメモリに格納して支払方法及び受取方法を確定し、支払・受取方法入力画面を閉じる（Ｓ１２）。
【０１２１】
また、支払方法及び受取方法が確定された後に、支払・受取方法入力画面が再起動されると、プリント注文処理部２２は、メモリに格納された支払方法及び受取方法を入力した状態で、支払・受取方法入力画面を表示する。
【０１２２】
図３に戻り、注文メニュー画面４４の注文確認ボタンが押下されると、プリント注文処理部２２は、商品選択画面４２と、店舗選択画面４３と、プリント注文画面４５と、支払・受取方法入力画面と、を介して確定された、写真プリント商品と、発注先のプリント出力店３と、高度な編集処理データと、支払方法及び受取方法をメモリから取得し、当該取得したデータ内容を確認する注文確認画面を顧客端末４に表示する（Ｓ１３）。
【０１２３】
注文確認画面は、メモリから取得した写真プリント商品と、発注先のプリント出力店３と、高度な編集処理データと、支払方法及び受取方法で構成されるプリント注文情報を表示するプリント注文情報表示欄と、プリント注文情報表示欄に表示されたプリント注文情報を確定して、プリント出力店３へ当該プリント注文情報を送信する確定ボタンと、プリント注文情報を未確定のまま当該注文確認画面を閉じるキャンセルボタンを備えて構成されている。
【０１２４】
図３に戻り、顧客端末４において、注文確認画面のプリント注文情報表示欄に表示されたプリント注文情報が確認され、注文確認画面に備えられた確定ボタンが押下されると（Ｓ１４）、プリント画像編集部２３が起動される。
【０１２５】
一方、注文確認画面に備えられたキャンセルボタンが押下されると、プリント注文処理部２２は、当該注文確認画面を閉じ、注文メニュー画面４４における各ボタンを押下して、各ボタンに対応する入力操作用画面を再起動し、プリント注文情報を再入力可能なように構成されている。
【０１２６】
また、上述のＳ２からＳ１４の何れかのステップにおいて、注文メニュー画面４４に備えられた終了ボタン４４ｃが押下されると、プリント注文処理部２２は、注文メニュー画面４４を閉じて、写真プリント商品の注文処理を終了する。
【０１２７】
上述のステップＳ１４においてプリント画像編集部２３が起動されると、プリント画像編集部２３は、注文確認画面で確認された高度な編集処理データに関連づけられた画像ＩＤをメモリから取得し、さらに、当該画像ＩＤに対応する写真画像を写真画像記憶部２５から取得する（Ｓ１５）。
【０１２８】
さらに、プリント画像編集部２３は、当該高度な編集処理データに基づいて、当該取得した写真画像に対して補正処理を施し、当該補正処理後の高精度なプリント対象写真画像と、テンプレート画像或いはキャラクタ画像が付された台紙の画像データ等の写真プリンタ商品を構成する画像データとが当該高度な編集処理データに基づいてレイアウト編集して合成された写真プリント商品画像を生成し、写真注文サーバ２に備えられたメモリに格納する（Ｓ１６）。
【０１２９】
即ち、プリント画像編集部２３により生成された写真プリント商品画像は、それぞれＲＡＷ、ビットマップ、ＪＰＥＧ、ＴＩＦＦ等の形式で構成された、テンプレート画像或いはキャラクタ画像が付された台紙の画像データ等の、写真プリンタ商品を構成する一または複数の画像データと、それぞれＲＡＷ、ビットマップ、ＪＰＥＧ、ＴＩＦＦ等の形式で構成された、補正処理が施された一または複数の高精度なプリント対象写真画像とが、高度な編集処理データに基づいてレイアウト編集して合成され、写真プリント商品に対応するファイル形式で構成された一つの画像ファイルとして構成される。
【０１３０】
尚、写真プリント商品として証明写真やデジタルプリントが選択された場合は、写真画像を写真プリント商品に配置する位置を指定する等の高度な編集処理を要さないため、写真プリント商品画像は、それぞれＲＡＷ、ビットマップ、ＪＰＥＧ、ＴＩＦＦ等の形式で構成された、補正処理が施された一または複数の高精度なプリント対象写真画像が一つのフォルダに格納され、当該フォルダが圧縮された一つのファイルとして構成される。
【０１３１】
図３に戻り、プリント画像編集部２３により写真プリント商品画像が生成されると、注文情報送信部２４が起動される。注文情報送信部２４は、メモリから当該写真プリント商品画像と、写真プリント商品と、発注先のプリント出力店３と、支払方法及び受取方法とを取得して、当該取得したデータで構成されるプリント注文情報を、当該プリント注文情報に含まれる発注先のプリント出力店３の店頭端末３１に送信する（Ｓ１７）。
【０１３２】
注文情報送信部２４により、プリント注文情報が発注先のプリント出力店３に送信されると、プリント注文処理部２２は、注文メニュー画面４４を閉じて写真プリント商品の注文処理を終了する。
【０１３３】
以下では、図４に基づいて、プリント出力店３において、上述した写真注文サーバ２から送信されたプリント注文情報を受注して、対応する写真プリント商品を生成する処理手順について詳述する。
【０１３４】
店頭端末３１は、例えば、図１１に示すように、現像済みの写真フィルムＦから写真画像を読み込むフィルムスキャナと、デジタルスチルカメラ等で撮影された写真画像が格納されたメモリカード等の記憶メディアＭから写真画像の電子データを読み取るメディアドライバと、インターネット８を介してデータ通信を行うためのネットワークドライバと、写真プリンタ３０の機器設定操作等の際に利用する操作画面を表示するモニタと、当該操作画面を操作可能なキーボードやマウス等の入出力デバイス等を備えて構成されている。
【０１３５】
さらに、店頭端末３１には、プリント出力店３における業務処理で利用するインクジェットプリンタやレーザープリンタ等のＯＡプリンタ、及び、後述する写真プリンタ３０がネットワーク３８を介して接続されている。これに伴い、店頭端末３１には、店頭端末３１の管理者等の操作により、プリント対象の写真画像等の電子データを各プリンタに入力可能なファイル形式の写真プリントデータに変換して、各プリンタに当該写真プリントデータを出力することによりプリント出力処理するプリンタドライバがインストールされている。
【０１３６】
また、当該プリンタドライバのインストール操作に伴い、写真プリント商品に対応する写真プリンタ３０を選別可能に管理するために、店頭端末３１の管理者等の操作により、写真プリンタ３０のプリンタ名やＩＰアドレス、あるいは、プリンタドライバのバージョン等を含む写真プリンタ３０の識別情報と写真プリント商品とが関連付けられたプリンタ選択情報が店頭端末３１に備えられたハードディスク等の記憶媒体に記憶されている。
【０１３７】
写真プリンタ３０は、例えば、図１１に示すように、ロール状の印画紙を収容した二系統の印画紙マガジンと、印画紙マガジンから引き出された印画紙を所定のプリントサイズに切断するシートカッターと、切断後の印画紙の背面にコマ番号等のプリント情報を印字するバックプリント部と、プリントデータに基づいて印画紙を露光する露光部と、露光後の印画紙を現像、漂白、定着するための各処理液が充填された複数の処理槽を備えた現像処理部が印画紙の搬送経路に沿って配置され、現像処理後に乾燥処理された印画紙が排出される横送りコンベアと、横送りコンベアに集積された複数枚の印画紙（写真プリント）がオーダー単位で仕分けられるソータ等を備えて構成されている。
【０１３８】
図１に示すように、店頭端末３１は、上述の構成に基づいて、注文受付処理部３２とプリンタ選択部３３と、プリンタ制御部３４を備えて構成されている。
【０１３９】
図４に示すように、注文受付処理部３２は、例えば、店頭端末３１の起動と同時に起動され（Ｓ３１）、インターネット８を介して店頭端末３１の外部機器から送信される通信データを常時監視し、写真注文サーバ２からプリント注文情報が送信されたことを検出すると（Ｓ３２）、当該プリント注文情報を店頭端末３１に備えられたメモリあるいは所定のフォルダに識別可能に格納する（Ｓ３３）。
【０１４０】
ここで、識別可能に格納するとは、複数のプリント注文情報を受信した場合であっても、各プリント注文情報を損失することなく識別してメモリあるいは所定のフォルダに格納することを示す。
【０１４１】
プリンタ選択部３３は、写真注文サーバ２から送信されたプリント注文情報が店頭端末３１に備えられたメモリあるいは所定のフォルダに識別可能に格納されると起動するように構成されている。
【０１４２】
図４に戻り、プリンタ選択部３３は、起動されると、予めハードディスク等に記憶されたプリンタ選択情報を取得して、当該プリンタ選択情報に基づいて、当該起動時に格納されたプリント注文情報に含まれる写真プリント商品に関連付けられた写真プリンタ３０を自動的に選択する（Ｓ３４）。
【０１４３】
尚、上述のように、プリンタ選択部３３は、起動時に取得したプリンタ選択情報に基づいて、自動的にプリント注文情報で指定された写真プリント商品に対応する写真プリンタ３０を選択するように構成されていても構わないし、あるいは、写真プリンタ３０及びＯＡプリンタの識別情報の一覧を選択操作可能に表示するように構成されたプリンタ選択画面を起動して、当該プリンタ選択画面から写真プリンタ３０を手動で容易に選択操作するように構成されていても構わない。
【０１４４】
図４に戻り、プリンタ制御部３４は、プリンタ選択部３３により、写真プリント商品に対応する写真プリンタ３０が選択されると起動され、当該選択された写真プリンタ３０のプリンタドライバを介して、プリント注文情報に含まれる写真プリント商品画像を、当該選択された写真プリンタ３０に入力可能な写真プリントデータに変換し（Ｓ３５）、当該写真プリントデータを当該選択された写真プリンタ３０に出力する（Ｓ３６）。
【０１４５】
即ち、プリンタ制御部３４により、写真注文サーバ２から受信したプリント注文情報と、ネットワーク３８に接続されている写真プリンタ３０の識別情報に基づいて、対応する写真プリンタ３０がプリンタ選択部３３を介して選択され、プリント注文情報に含まれる写真プリント商品画像が当該選択された写真プリンタ３０に出力されるため、当該写真プリント商品画像に対応する写真プリント商品を効率よく生成することができるようになる。
【０１４６】
また、プリンタ制御部３４により、プリント注文情報に含まれる写真プリント商品画像が、プリンタ選択部３３により選択された写真プリンタ３０に対応した写真プリントデータに変換され、当該写真プリンタ３０に出力されるようになる。したがって、写真注文サーバ２のプリント画像編集部２３は、送信先の店頭端末３１に備えられた写真プリンタ３０のそれぞれに対応する写真プリントデータを生成することなく、特定の形式で写真プリント商品画像を生成して、各店頭端末３１に送信することができるようになる。
【０１４７】
以上説明した通り、プリント画像編集部２３により、レイアウト編集等の高度な画像編集を伴う写真プリント商品であれば、編集処理データに基づいて当該高度な画像編集が施された写真プリント商品画像が編集生成される。また、注文情報送信部２４により、当該写真プリント商品画像を含むプリント注文情報がプリント出力店３の店頭端末３１に送信され、当該写真プリント商品画像に基づいて写真プリンタ３０によって写真プリント商品が出力されるので、プリント出力店３のオペレータが顧客の注文情報に基づいて編集処理を実行する必要がなくなるようになり、当該写真プリント商品画像に対応する写真プリント商品を効率よく生成することができるようになる。
【０１４８】
また、上述したテンプレート画像またはキャラクタ画像等の写真プリント商品を詳細に規定する画像には流行があり、頻繁に新たなテンプレート画像やキャラクタ画像を更新する必要があるが、商品データベース２６の商品提供情報を更新するだけで対応することができ、顧客は常に新しいテンプレート画像またはキャラクタ画像を選択して編集でき、プリント出力店３では、写真注文サーバ２から送信される写真プリント商品画像に対応してプリントすればよく、個々のプリント出力店３で新たなテンプレート画像やキャラクタ画像を入手する必要がなくなる。
【０１４９】
さらに、顧客は、上述した写真注文システム１を利用して、高度な画像編集を伴う写真プリント商品を提供可能な特定のプリント出力店３に出向くことなく、顧客端末４を利用して写真注文サーバ２に当該写真プリント商品を発注することにより、写真注文サーバ２を介して当該プリント出力店３に写真プリント商品を注文することができるようになる。
【０１５０】
尚、上述のステップＳ３３において、写真注文サーバ２からプリント注文情報が店頭端末３１に備えられたメモリあるいは所定のフォルダに識別可能に格納された場合に、プリンタ選択部３３が起動される構成に代えて、例えば、当該格納されたプリント注文情報の一覧を店頭端末３１のモニタに選択操作可能に表示するように構成し、当該表示されたプリント注文情報が選択操作された際に、プリンタ選択部３３が起動されてステップＳ３４が実行され、さらに、プリンタ制御部３４によるステップＳ３５とステップＳ３６が実行されるように構成されていても構わない。
【０１５１】
この場合、プリント出力店３１のオペレータが、来店中の顧客が存在しない場合等の空き時間を利用して、店頭端末３１のモニタに表示された、写真注文サーバ２から送信されたプリント注文情報の一覧を選択して、効率よく当該プリント注文情報に対応する写真プリント商品を生成することができるようになる。
【０１５２】
以下、上述した第一の実施形態とは別の第二の実施形態について説明する。
【０１５３】
上述の第一の実施形態の構成におけるプリント画像編集部２３により生成される写真プリント商品画像の構成に代えて、第二の実施形態における写真プリント商品画像は、プリント対象写真画像と当該プリント対象写真画像に対して指定された補正処理データと、当該プリント対象画像と写真プリンタ商品に対応する画像データとの関連付けを示すレイアウト編集等の編集処理データと、テンプレート画像或いはキャラクタ画像が掲載されたアルバムの表示画像データ等の写真プリンタ商品に対応する画像データと、を含む、自動合成可能な写真プリント商品画像として生成されるように構成されている。
【０１５４】
ここで、合成可能な写真プリント商品画像とは、上述の補正処理データと、上述のレイアウト編集等の編集処理データと、当該プリント対象写真画像及び写真プリンタ商品に対応する画像データが関連付けられた一つのファイルとして構成されていることを示す。
【０１５５】
例えば、上述の補正処理データと、上述のレイアウト編集等の編集処理データと、当該プリント対象写真画像及び写真プリンタ商品に対応する画像データとが一つのフォルダに格納され、当該フォルダが圧縮されて一つの合成可能な写真プリント商品画像として構成される。
【０１５６】
即ち、当該写真プリント商品画像を解凍し、当該解凍後のフォルダに含まれる補正処理データに基づいて、当該フォルダに含まれるプリント対象写真画像に補正処理を施し、当該補正処理が施されたプリント対象写真画像と、当該フォルダに含まれる写真プリンタ商品に対応する画像データとを、当該フォルダに含まれるレイアウト編集等の編集処理データに基づいて自動的に合成可能であることを示している。
【０１５７】
これに対応して、第一の実施形態におけるステップＳ３３において、注文受付処理部３２は、写真注文サーバ２から送信されたプリント注文情報を、店頭端末３１に備えられたメモリあるいは所定のフォルダに識別可能に格納すると、当該格納されたプリント注文情報の一覧を店頭端末３１のモニタに選択操作可能に表示するように構成されている。
【０１５８】
また、注文受付処理部３２は、当該プリント注文情報の一覧からプリント注文情報が選択操作されると、当該プリント注文情報に含まれる写真プリント商品画像を解凍し、解凍後のフォルダに含まれる補正処理データに基づいて、当該フォルダに含まれるプリント対象写真画像に補正処理を施し、当該補正処理が施されたプリント対象写真画像と、当該フォルダに含まれる写真プリンタ商品に対応する画像データとを、当該フォルダに含まれるレイアウト編集等の編集処理データに基づいて自動的に合成し、写真プリント商品画像を生成するように構成されている。
【０１５９】
この場合、例えば、自動合成可能な写真プリント商品画像は、補正処理やレイアウト編集処理などの編集処理を施すことなく速やかに生成されるため、顧客は、写真プリント商品のプリント注文処理を迅速に行えるようになる。さらに、プリント出力店３のオペレータは、プリント注文情報の一覧からプリント注文情報を選択操作するだけで、当該自動合成可能な写真プリント商品画像に基づいて自動的に写真プリント商品画像が生成されるため、高度な編集処理操作を行う手間をかけずに写真プリント商品をプリント出力できるようになる。
【０１６０】
以下、上述した第一または第二の実施形態とは別の第三の実施形態について説明する。
【０１６１】
図１の点線部に示すように、写真注文サーバ２は、第一または第二の実施形態の構成に加えて、商品選択画面４２で選択されたキャラクタ画像を付加した写真プリント商品の販売情報を管理する販売情報管理部２７を備えて構成されている。
【０１６２】
これに対応して、注文情報送信部２４におけるステップＳ１７（図３参照）は、第一または第二の実施形態の構成に加えて、プリント注文情報を発注先のプリント出力店３の店頭端末３１に送信後、販売情報管理部２７を起動するように構成されている。
【０１６３】
販売情報管理部２７は、注文情報送信部２４により起動されると、送信したプリント注文情報にキャラクタ画像を付加した写真プリント商品が含まれるかどうかを判定し、当該プリント注文情報にキャラクタ画像を付加した写真プリント商品が含まれていることを判定すると、当該プリント注文情報に基づいて、当該写真プリント商品に付加されるキャラクタ画像の識別情報と、当該写真プリント商品の注文回数や発注先のプリント出力店３等を含む販売情報とを関連付けてハードディスク等の記憶可能な媒体に格納するように構成されている。
【０１６４】
この場合、販売情報管理部２７により、商品選択画面４２で選択されたキャラクタ画像を付加した写真プリント商品の販売情報が管理されるため、例えば、不正な使用を未然に防止でき、キャラクタ画像の利用にかかるロイヤリティの管理を効率的に行えるようになる。
【０１６５】
尚、販売情報管理部２７は、注文情報送信部２４により起動されるように構成していたが、プリント注文処理部２２のステップＳ４により写真プリント商品が確定された後、起動されるように構成されていても構わない。
【０１６６】
以下、上述した第一から第三の実施形態とは別の第四の実施形態について説明する。
【０１６７】
図１の点線部に示すように、第一から第三の何れかの実施形態の構成に加えて、写真注文サーバ２は、データベース更新処理部２８を備え、店頭端末３１は、商品編集画面３５を備えて構成されている。
【０１６８】
商品編集画面３５は、例えば、プリント出力店３に新たな写真プリンタ３０が設置され、新たな写真プリント商品を生成することが可能となった場合に、店頭端末３１のモニタに表示された、当該商品編集画面３５起動用のアイコン等がプリント出力店３のオペレータによりダブルクリックされることにより起動するように構成されている。
【０１６９】
また、商品編集画面３５は、当該店頭端末３１に予め格納されている写真プリント商品の識別情報の一覧を表示する写真プリント商品一覧表示欄と、新たな写真プリント商品の識別情報と、写真プリント商品を詳細に規定する商品関連情報と、テンプレート画像等の当該新たな写真プリント商品に対応する画像データとを入力操作可能な新商品情報入力欄と、当該新商品追加欄に入力された新たな写真プリント商品の識別情報と商品関連情報と対応する画像データと当該プリント出力店３の店舗識別情報をデータベース更新処理部２８に送信操作する新商品情報確定欄等と、を備えて構成されている。
【０１７０】
データベース更新処理部２８は、例えば、写真注文サーバ２の起動と同時に起動され、店頭端末３１の商品編集画面３５から送信されるデータを常時監視するように構成されている。データベース更新処理部２８は、店頭端末３１におけるオペレータの操作により、商品編集画面３５から新たな写真プリント商品の識別情報と商品関連情報と対応する画像データと、当該プリント出力店３の店舗識別情報が送信されたことを検出すると、当該送信された各情報及び画像データに基づいて、商品データベース２６に格納された商品提供情報を更新するように構成されている。
【０１７１】
即ち、プリント出力店３に新たな写真プリント商品に対応した写真プリンタ３０を設置するような場合や、老朽化した写真プリンタ３０を廃棄した場合であっても、店頭端末３１に表示された商品編集画面３３を利用して、プリント出力店３で提供可能な写真プリント商品の変更に関する商品提供情報を編集すれば、データベース更新処理部２８により商品データベース２６が迅速に更新されるため、顧客に影響を与えることなく、且つ、プリント出力店３側に負担をかけずに適切なサービスを提供することができるようになる。
【０１７２】
以下、上述した第一から第四の実施形態とは別の第五の実施形態について説明する。
【０１７３】
図１の点線部に示すように、第一から第四の何れかの実施形態の構成に加えて、店頭端末３１は、写真プリント管理部３６と稼働状況送信部３７を備えて構成されている。
【０１７４】
写真プリント管理部３６は、例えば、店頭端末３１の起動と同時に起動され、店頭端末３１にインストールされたプリンタドライバを介して、ネットワーク３８を介して接続されている写真プリンタ３０の稼働状況を管理するように構成されている。
【０１７５】
稼働状況送信部３７は、例えば、写真プリント管理部３６の起動後に起動されるように構成されている。稼働状況送信部３７は、起動されると、予め設定された所定時間おきに、写真プリント管理部３６により管理される稼働状況を写真注文サーバ２に送信するように構成されている。
【０１７６】
尚、ここで、稼働状況送信部３７は、所定時間おきに稼働状況を写真注文サーバ２に送信するように構成されていたが、稼働状況送信部３７の起動時にのみ、稼働状況を写真注文サーバ２に送信する等、稼働状況を送信するタイミングは、適宜設計事項として変更しても構わない。
【０１７７】
この場合、写真プリント管理部３６により管理されている写真プリンタ３０の稼働状況が、稼働状況送信部３７により写真注文サーバ２に送信されるため、写真注文サーバ２は、当該店頭端末３１にネットワーク３８を介して接続されている写真プリンタ３０の稼働状況を把握することができるようになる。
【０１７８】
例えば、写真注文サーバ２の起動時に起動され、当該起動後に、店頭端末３１の稼働状況送信部３７から店頭端末３１にネットワーク３８を介して接続されている写真プリンタ３０の稼働状況が送信されるかどうかを常時監視する稼働状況管理部を写真注文サーバ２にさらに備えるように構成しても構わない。
【０１７９】
この場合、稼働状況管理部は、上述の構成に加えて、当該写真プリンタ３０の稼働状況が送信されたことを検出すると、当該受信した写真プリンタ３０の稼働状況に基づいて、当該検出時点においてプリント注文可能な写真プリント商品のみを商品選択画面４２に表示する、あるいは、当該検出時点においてプリント注文可能なプリント出力店３のみを店舗選択画面４３に表示するように構成することができるようになる。したがって、顧客は、発注可能な写真プリント商品に関するプリント注文情報のみを入力することができるようになり、写真プリント商品を発注したにもかかわらず、受注処理されないといった事態を回避することができるようになる。
【０１８０】
さらに、例えば、写真注文サーバ２は、「注文受付中」、「印刷処理中」、「配送準備中」、「配送中」等のプリント注文情報の進捗状況を管理する進捗管理データベースをさらに備えるように構成して、上述の稼働状況管理部で受信された写真プリンタ３０の稼働状況に基づいて、進捗管理データベースで管理されているプリント注文情報の進捗状況を更新し、顧客端末４に当該プリント注文情報の進捗状況を表示する、あるいは、顧客識別情報に基づいて当該進捗状況を示すメールを送信するように構成することができるようになる。
【０１８１】
この場合、顧客は、顧客端末４に表示された当該プリント注文情報の進捗状況を確認することができるため、発注先のプリント出力店３が営業時間外であっても、入力操作したプリント注文情報の処理状況を即座に把握確認することができるようになる。
【０１８２】
以下、上述した第一から第五の実施形態とは別の実施形態について説明する。
【０１８３】
図８、図９及び図１０に示したプリント注文画面４５の構成は、例示に過ぎず、例えば、アルバムの各ページに対して、あるいは、コラージュプリント１枚に対して、エバンスの定理に基づくＬＡＴＤ（Ｌａｒｇｅ  Ａｒｅａ  Ｔｒａｎｓｍｉｔｔａｎｃｅ  Ｄｅｎｓｉｔｙ）方式の補正処理を施すように指定する等、上述した各写真画像に対する補正処理とは別に、複数のプリント対象写真画像を含む所定サイズの画像領域を対象とした領域補正処理が指定可能に構成されていても構わない。
【０１８４】
また、顧客端末４に備えられたブラウザに標準搭載されている機能のみでは実現できない高度なＧＵＩ操作を伴うプリント注文画面４５を構成する必要が生じた場合は、例えば、プリント注文処理部２２は、当該プリント注文画面４５を顧客端末４に表示する際に、Ｊａｖaアプレット（「Ｊａｖa」は、サン・マイクロシステムズ社の登録商標）等のブラウザにアドイン可能な当該編集処理操作用プログラムを顧客端末４に送信し、顧客端末４のブラウザに当該編集処理操作用プログラムをアドインして、当該プリント注文画面４５を操作可能に表示するように構成されていても構わない。
【０１８５】
さらに、図３及び図４に示す各処理ステップにおいて、顧客及びプリント出力店３のオペレータ等による画面操作に基づいて実行される制御処理は、上述の写真注文サーバ２及び店頭端末３１に含まれる機能ブロックを備えた装置にインストールされ、当該装置で実行可能な制御プログラムとして実装されていても構わない。この場合、当該装置で当該制御プログラムが実行されることにより、上述した写真注文システム１が実現されるようになる。
【０１８６】
また、プリント注文処理部２２は、写真注文システム１を提供する機関とは別の機関から提供される顧客端末４からアップロードされた写真画像を格納する画像共有サーバと連動して、当該画像共有サーバで管理されている写真画像を、当該写真画像をアップロードした顧客の識別情報とともにダウンロードし、当該ダウンロードした写真画像と顧客の識別情報とを関連付けて写真画像記憶部２５に記憶するとともに、当該写真画像をプリント注文画面４５に編集操作可能に表示するように構成されていても構わない。
【０１８７】
この場合、顧客端末４からアップロードされた写真画像を蓄積するために大容量ディスクを必要とし、或いは、当該蓄積された画像が顧客に無断で第三者へ流出しないようセキュリティ保護する必要がある等、アップロード部２１及び写真画像記憶部２５の運営にかかる多大な労力及び費用を削減することができるようになる。
【０１８８】
尚、上述した実施形態において、写真画像記憶部２５及び商品データベース２６は、写真注文サーバ２に備えるように構成されていたが、写真注文サーバ２からインターネット８を介してアクセス可能な別の装置に構成されていても構わない。
【０１８９】
尚、上述した実施形態は、本発明の一例に過ぎず、本発明の作用効果を奏する範囲において各ブロックの具体的構成等を適宜変更設計できることは言うまでもない。
【符号の説明】
【０１９０】
１：写真注文システム
２：写真注文サーバ
３：プリント出力店
４：顧客端末
８：インターネット（通信回線）
２１：アップロード部
２２：プリント注文処理部
２３：プリント画像編集部
２４：注文情報送信部
２５：写真画像記憶部
２６：商品データベース
２７：販売情報管理部
２８：データベース管理部
３０：写真プリンタ（３０ａ〜３０ｌ）
３１：店頭端末
３２：注文受付処理部
３３：プリンタ選択部
３４：プリンタ制御部
３５：商品編集画面
３６：写真プリント管理部
３７：稼働状況送信部
３８：ネットワーク（プリント出力店）
４２：商品選択画面
４３：店舗選択画面
４４：注文メニュー画面
４５：プリント注文画面
【図１】
2010165016.tif 000003
【図２】
2010165016.tif 000004
【図３】
2010165016.tif 000005
【図４】
2010165016.tif 000006
【図５】
2010165016.tif 000007
【図６】
2010165016.tif 000008
【図７】
2010165016.tif 000009
【図８】
2010165016.tif 000010
【図９】
2010165016.tif 000011
【図１０】
2010165016.tif 000012
【図１１】
2010165016.tif 000013